(57)【要約】【課題】  石鹸に漢方の有効成分を含ませることによって、普段の生活の中で漢方の有効成分を肌から体に取り入れて健康維持や老化防止を実現できる漢方石鹸の提供。【解決手段】  少なくとも冬虫夏草、鹿角霊芝草、雲南田七、黄山貢菊、高麗人参、熱変成岩のいずれかの有効成分を含むこととした。【選択図】        図１
2005263923.tif 000002
【特許請求の範囲】
【請求項１】
少なくとも冬虫夏草、鹿角霊芝草、雲南田七、黄山貢菊、高麗人参、熱変成岩のいずれかの有効成分を含むことを特徴とする漢方石鹸。
【請求項２】
請求項１記載の漢方石鹸において、
前記冬虫夏草を０．２〜１．０％、鹿角霊芝草を０．２〜１．０％、雲南田七を０．２〜１．０％、黄山貢菊を０．０５〜０．２％、熱変成岩を５〜１０％含むことを特徴とする漢方石鹸。
【発明の詳細な説明】
【技術分野】
【０００１】
本発明は、肌の健康維持や老化防止に用いる漢方石鹸に関する。
【背景技術】
【０００２】
従来、石鹸は様々な材料を用いて様々な製造方法で形成されており、その製造過程において、香料などを含ませて洗浄以外の効果を持たせた技術が公知となっている（特許文献１〜３参照）。
【特許文献１】特開平５−４３８９８号公報
【特許文献２】特開平１１−１４０４９７号公報
【特許文献３】特開２００２−８０８９８号公報
【発明の開示】
【発明が解決しようとする課題】
【０００３】
しかしながら、特許文献１〜３記載の発明にあっては、石鹸に香料などを含ませて洗浄以外の効果を持たせることはできるものの、例えば、香料に代えて漢方の有効成分を石鹸に含ませる場合、その種類は約１９００種類もあるため選定が困難であるという問題点があった。
なお、漢方は飲用に効能があるため、外用して効果があるとは限らない。
また、漢方は通常、数種類を混ぜて使用するため、その組み合わせは膨大である。
【０００４】
本発明は上記問題点に着目してなされたもので、その目的とするところは、石鹸に漢方の有効成分を含ませることによって、入浴や手足を洗う際に漢方の有効成分を肌から体に取り入れて健康維持や老化防止を容易に実現できる漢方石鹸を提供することである。
【課題を解決するための手段】
【０００５】
上記課題を解決するため請求項１記載の発明では、少なくとも冬虫夏草、鹿角霊芝草、雲南田七、黄山貢菊、高麗人参、熱変成岩のいずれか１つの有効成分を含むことを特徴とする。
【０００６】
請求項２記載の発明では、冬虫夏草を０．２〜１．０％、鹿角霊芝草を０．２〜１．０％、雲南田七を０．２〜１．０％、黄山貢菊を０．０５〜０．２％、熱変成岩を５〜１０％含むことを特徴とする。
【発明の効果】
【０００７】
請求項１記載の発明にあっては、少なくとも冬虫夏草、鹿角霊芝草、雲南田七、黄山貢菊、熱変成岩のいずれかの有効成分を含むこととしたため、これらの有効成分を日常生活の中で肌から体に取り入れることができ、健康維持や老化防止を実現できる。
【０００８】
請求項２記載の発明では、冬虫夏草を０．２〜１．０％、鹿角霊芝草を０．２〜１．０％、雲南田七を０．２〜１．０％、黄山貢菊を０．０５〜０．２％、熱変成岩を５〜１０％含むこととしたため、これらを最適な配分にして有効成分の効果を十分に発揮できる漢方石鹸を提供できる。
【発明を実施するための最良の形態】
【０００９】
以下、本発明の漢方石鹸の実施例を説明する。
図１は本発明の実施例の漢方石鹸の斜視図である。
【００１０】
図１に示すように、本実施例の漢方石鹸は入浴や手足を洗う際に用いる石鹸であって全体が茶褐色を帯び、１００ｇ中には冬虫夏草０、５ｇ、鹿角霊芝草０．５ｇ、雲南田七０．５ｇ、黄山貢菊０．１ｇ、熱変成岩１０ｇ、石鹸素地８８．４ｇが含まれている。
【００１１】
前記冬虫夏草は、チベット、中国四川省や雲南省などの限定された地域に分布する昆虫寄生菌であり、冬虫夏草蛾の幼虫に寄生することからその名が由来している。
冬虫夏草の主な有効成分としては、Ｄ−マンニトールを多く含み、血小板の凝集抑制作用、呼吸器系・循環器系・肝臓及び腎臓等の各種内臓系の機能改善や免疫力向上の効果がある。
【００１２】
前記鹿角霊芝草は、日本、韓国、中国山東省などの広い地域に分布する霊芝の一種であり、鹿の角のような形状をしていることからその名が由来している。
鹿角霊芝草の主な有効成分としては、高分子多糖体β−グルカンを多く含み、ガン抑制、抗炎症、アレルギー抑制、免疫力向上、疲労回復、抗ウイルス作用、抗血栓作用などの効果がある。
【００１３】
前記雲南田七は、中国雲南省東南部から広西壮族自治区西南部の限定された地域に分布する植物であり、種まきから収穫までに３〜７年もかかることからその名が由来している。
雲南田七の主な有効成分としては、有機ゲルマニウム、フラボノイド、田七ケトン、多種類のサポニンを多く含んでいる。
前記有機ゲルマニウムは発癌抑制作用が高いことが認められている。
また、フラボノイドはポリフェノール類であり、主にアレルギー作用に効果がある。
また、田七ケトンは冠状動脈の血流の増進作用、動脈硬化抑制作用の効果がある。また、血中コレストロールを減少させる作用があるため、ダイエット効果に繋がる。
また、サポニンは配糖体の一種であり、主に血流・血圧の正常化、疲労回復、脳中枢神経の沈静、免疫力低下の正常化の効果がある。
この他、雲南田七にはアミノ酸、ビタミン、カルシウム、繊維などが含まれている。
【００１４】
前記黄山貢菊は、中国安徽省黄山のみで採取される菊の花であり、その有効成分は解熱作用、解毒作用、目の疲れや肩こりなどの効果がある。
【００１５】
前記熱変成岩は、トルマリンと同様に電気石の一種で遠赤外線やマイナスイオンを発生し、その作用は、血液のアルカリ傾向化、血行促進、新陳代謝の活性化、生活習慣病の予防・改善、保温作用などの効果がある。
【００１６】
本実施例の漢方石鹸を製造する際には、石鹸素地に、冬虫夏草、鹿角霊芝草、雲南田七、黄山貢菊、熱変成岩の各粉末を加えて攪拌した後、真空・高圧下で固形化させることにより形成する。
【００１７】
なお、前記石鹸素地については種々の製造方法が考えられるが、植物性油脂（例えばパーム油またはヤシ油）に苛性ソーダ、ソーダ灰、水を加えながら加熱し、これを数ミリに伸ばして乾燥した後、ミキサーで攪拌・粉砕して粉末化したものを用いるのが好適である。
なお、一般的な粉石鹸には人工的な成分が含まれるため好ましくない。
【００１８】
また、高麗人参も雲南田七と同様にサポニンを多く含むため、冬虫夏草、鹿角霊芝草、雲南田七、黄山貢菊、熱変成岩に加えても良い。
【００１９】
このように製造された漢方石鹸にあっては、冬虫夏草、鹿角霊芝草、雲南田七、黄山貢菊、熱変成岩の有効成分が、その成分及び形態を一切変化することなく含まれるため、その有効成分が石鹸の使用時において湯水に溶け込んで混ざり合うことで肌から体に浸透し、前述した冬虫夏草、鹿角霊芝草、雲南田七、黄山貢菊、熱変成岩の各有効成分の効果に加えて、以下のような効果を得ることができる。
【００２０】
例えば、洗顔においてはメイクなどによる毛穴の汚れや固くなった角質を取り除く他、ニキビ及びシワの減少、美白効果の効果がある。
また、体全体にあっては、肌の保湿効果、アトピーの改善、血行促進、体臭防止、水虫予防、ダイエット効果など様々な効果がある。
また、頭髪にあっては、毛穴洗浄化、フケ及びかゆみの除去作用の効果がある。
【００２１】
また、漢方石鹸は自然素材であるがゆえに変色することも考えられるが、冬虫夏草、鹿角霊芝草、雲南田七、黄山貢菊、熱変成岩及び熱変成岩の色によって赤褐色を帯びているため、純石鹸のように経年変化による色合いの変化が分かることがなく、着色料を含ませる必要がない。
【００２２】
以上説明したように、本実施例の漢方石鹸では、従来飲用することで様々な効能を発揮していた冬虫夏草、鹿角霊芝草、雲南田七、黄山貢菊、高麗人参の有効成分と熱変成岩の有効成分を、普段の生活の中で肌から体に取り入れることができ、健康維持や老化防止を実現できる
【００２３】
以上、本発明の実施例を説明してきたが、本発明の具体的構成は本実施例に限定されるものではなく、発明の要旨を逸脱しない範囲の設計変更などがあっても本発明に含まれる。
例えば、本実施例では冬虫夏草、鹿角霊芝草、雲南田七、黄山貢菊、熱変成岩の全てを配合したが、これらは単独で用いても効果がある。
【００２４】
また、本実施例で説明した冬虫夏草、鹿角霊芝草、雲南田七、黄山貢菊、熱変成岩の最適な配分で石鹸以外の洗浄性物を形成することは当然考えられる。
【図面の簡単な説明】
【００２５】
【図１】本発明の実施例の漢方石鹸の斜視図である。
【符号の説明】
【００２６】
１  漢方石鹸
【図１】
2005263923.tif 000003